(57)【要約】【課題】遊技領域を広く確保するとともに、部品の構成を簡易なものにした弾球遊技機を提供する。【解決手段】遊技盤４に対して着脱自在なガイドレール枠１９の、遊技領域４ａに面する内壁面２７ａに上方に開口する入賞口２７ｂを設ける。ガイドレール枠１９の内部には、入賞口２７ｂのそれぞれに連なる通路２７ｄを設け、入賞口２７ｂに入賞した遊技球は、通路２７ｄの途中に設けた磁気センサ４０によって検知する。磁気センサ４０によって検知された後、遊技球は、通路２７ｄの最下部に誘導されて、排出口２７ｃから遊技盤側へ排出される。【選択図】        図４
2006334099.tif 000002
【特許請求の範囲】
【請求項１】
遊技球が流下する遊技領域の外縁を規定するとともに遊技球をアウト口へ誘導する遊技領域規定枠を遊技盤の前面側に備えた弾球遊技機において、
前記遊技領域規定枠は、前記遊技領域に面する周面部に形成された入賞口と、内部に形成された、前記入賞口に入賞した遊技球が通過する通路とを備え、
前記遊技盤または前記遊技領域規定枠は、前記入賞口に入賞した遊技球を検知する遊技球検知手段を備えていることを特徴とする弾球遊技機。
【請求項２】
前記遊技領域規定枠は、前記遊技盤に対して着脱自在であることを特徴とする請求項１記載の弾球遊技機。
【請求項３】
前記遊技領域規定枠は、前記遊技領域規定枠の前記遊技領域に面する周面部に沿って流下する遊技球を弾く突出部を前記入賞口の上方に備えていることを特徴とする請求項１または請求項２記載の弾球遊技機。
【請求項４】
前記遊技盤は前記入賞口に入賞した遊技球を回収する回収孔を備え、前記通路は、前記入賞口と前記回収孔とに連通することを特徴とする請求項１乃至３のいずれか１つに記載の弾球遊技機。
【請求項５】
前記遊技領域規定枠は、前記通路を通過した遊技球を遊技領域に戻す放出口を備えていることを特徴とする請求項１乃至３のいずれか１つに記載の弾球遊技機。
【発明の詳細な説明】
【技術分野】
【０００１】
本発明は、パチンコ店等の遊技場に設置して使用されるパチンコ機等の弾球遊技機に関するものである。
【背景技術】
【０００２】
パチンコ店などの遊技場に設置して使用される遊技機であるパチンコ機等の弾球遊技機は、遊技媒体である遊技球に一定の価値が与えられて、ゲームを行って獲得した遊技球を種種の景品に交換することができる。パチンコ機は、遊技球が流下する遊技領域が形成された遊技盤を備えているものが一般的であり、遊技領域には、遊技球の流下方向を変化させる障害釘や風車等の障害物の他に、始動入賞チャッカー、通常入賞チャッカー及びアタッカ等の入賞チャッカー（入賞球を検知する機能を有する入賞装置）が設けられている。これらパチンコ機においては、部品を共通化することによって製造コストを抑えたり、部品をリサイクルで利用するといったことが図られている。
【０００３】
最近のパチンコ機では、遊技領域のほぼ中心にセンター役物と呼ばれる構造物が設けられていることが多く、また、センター役物が遊技領域に占める領域が拡大する傾向にあるので、入賞チャッカーを、遊技領域における表示灯等の構造物の一部として設け、遊技領域における遊技球が流下する領域を広く確保するものが特許文献１などで提案されている。
【特許文献１】特開２００２−３４６０７６
【発明の開示】
【発明が解決しようとする課題】
【０００４】
上記のような弾球遊技機では、部品の構成が複雑であると、製造時の組み立てやリサイクルの際の分解に手間が掛かってしまい、製造やリサイクルに掛かるコストが上がってしまうという問題があった。
【０００５】
本発明は、遊技領域を広く確保するとともに、部品の構成を簡易なものにした弾球遊技機を提供することを目的とする。
【課題を解決するための手段】
【０００６】
本発明の弾球遊技機は、遊技球が流下する遊技領域の外縁を規定するとともに遊技球をアウト口へ誘導する遊技領域規定枠を遊技盤の前面側に備えたものであって、前記遊技領域規定枠は、前記遊技領域に面する周面部に形成された入賞口と、内部に形成された、前記入賞口に入賞した遊技球が通過する通路とを備え、前記遊技領域規定枠または前記遊技盤は、前記入賞口に入賞した遊技球を検知する遊技球検知手段を備えていることを特徴とするものである。
【０００７】
また、前記遊技領域規定枠は、前記遊技盤に対して着脱自在であることが好適である。
【０００８】
また、前記遊技領域規定枠は、前記遊技領域規定枠の遊技領域に面する周面部に沿って流下する遊技球を弾く突出部を前記入賞口の上方に備えていることが好適である。
【０００９】
また、前記遊技盤は前記入賞口に入賞した遊技球を回収する回収孔を備え、前記通路は、前記入賞口と前記回収孔とに連通することが好適である。
【００１０】
また、前記遊技領域規定枠は、前記通路を通過した遊技球を遊技領域に戻す放出口を備えていることが好適である。
【発明の効果】
【００１１】
本発明の弾球遊技機は、遊技球が流下する遊技領域の外縁を規定するとともに遊技球をアウト口へ誘導する遊技領域規定枠の遊技領域に面する周面部に入賞口を形成し、入賞口に入賞した遊技球が通過する通路を遊技領域規定枠の内部に形成し、前記入賞口に入賞した遊技球を検知する遊技球検知手段を前記遊技領域規定枠または遊技盤に設けることによって、入賞チャッカーを遊技領域の周縁部に設けることができるので、遊技領域を広く確保することができる。また、遊技球検知手段を遊技領域規定枠に設けて入賞チャッカーを遊技領域規定枠の一部とすることによって弾球遊技機の部品の構成を簡易なものにすることができる。また、遊技球検知手段を遊技盤に設けた場合には、遊技領域規定枠における入賞口の位置の設計変更を容易にすることができる。
【００１２】
また、遊技領域規定枠が遊技盤に対して着脱自在であることによって、部品の取り付け及び取り外しが容易となり、リサイクル性が高まる。
【００１３】
また、遊技領域規定枠に、遊技領域規定枠の遊技領域に面する周面部に沿って流下する遊技球を弾く突出部を前記入賞口の上方に設けることによって、遊技球が周面に沿って流下している状態のまま入賞口へ入賞することを防ぎ、入賞口へ至る遊技球の動きを変化に富んだものとし、遊技者に興趣を付与することができる。
【００１４】
また、前記遊技盤は入賞口に入賞した遊技球を回収する回収孔を備え、前記通路は、前記入賞口と前記回収孔とに連通することによって、入賞口に入賞した遊技球の回収ができ、更に他の入賞チャッカーに入賞した遊技球とともに遊技盤の裏側で回収することもできる。
【００１５】
また、前記遊技領域規定枠に、通路を通過した遊技球を遊技領域に戻す放出口を設けることによって、入賞した遊技球が放出口から遊技領域に戻り、再び遊技領域を流下するので、遊技球の変化に富んだ動きによって、遊技者に興趣を付与することができる。
【発明を実施するための最良の形態】
【００１６】
図１に示すように、弾球遊技機の１実施例であるパチンコ機２は、本体枠３の内部に遊技盤４が配設されており、本体枠３の前面には前面扉５が開閉自在に取り付けられている。前面扉５の下方には、打球供給用の供給皿６及び遊技球の打ち出し強さを調節する操作ハンドル８が設けられている。遊技盤４の遊技球が打ち出される遊技領域４ａの略中央には、予め定められた入賞口へ遊技球を入賞させるなどの所定入賞条件に基づいて遊技中に様々な図柄を液晶画面に所定時間内において変動表示させた後に停止表示させる図柄可変表示装置９が設けられている。図柄可変表示装置９の周りには、始動入賞チャッカー１０、通常入賞チャッカー１１、アタッカ１２、アウト口１３、飾り１４が設けられている。また、遊技盤４の略中央には、センター役物１５が設けられており、センター役物１５に形成された開口１５ａを介して、図柄可変表示装置９を視認することができる。また、後述するガイドレール枠（遊技領域規定枠）１９（図２に図示）の、遊技領域４ａに面する内壁面（周面部）２７ａ（図６に図示）には、入賞口２７ｂが設けられている。
【００１７】
遊技者は、供給皿６に遊技球を投入して遊技球を供給皿６内に設けられた誘導路を介して球発射装置へと導き、回動式の操作ハンドル８を所定量回動して球発射装置の駆動を制御することで、遊技盤４の遊技領域４ａの上方に向けて遊技球を打ち出す。打ち出された遊技球は遊技領域４ａの上方から流下する途中で各入賞チャッカー１０，１１、アタッカ１２または入賞口２７ｂのいずれかに入るか、あるいはガイドレール枠１９の内壁面２７ａ，２８ａ（図６に図示）に誘導されてアウト口１３から回収される。なお、パチンコ機２の遊技領域４ａに設けられている複数の釘、風車などの構造体は公知であるので説明は省略する。また、前面扉５の前面には、後述する係止つまみ２４（図３に図示）が前面側から視認することができないように遮蔽するための装飾部５ａが設けられている。
【００１８】
図２に示すように、前面扉５は、本体枠３の前面に開閉自在に取り付けられている。前面扉５の内側には、可視可能なガラスが取り付けられている。なお、前面扉５が閉じているロック状態であるときには、遊技者や遊技場の作業者は、ガラスを通して遊技盤４の遊技領域４ａを流下していく遊技球を見ることはできるが、遊技盤４にはもちろんのこと本体枠３の内部にも触れることができないようになっている。
【００１９】
図３に示すように、遊技盤ユニット１６は、本体枠３の遊技盤係止部３ａに交換可能に係止されている。遊技盤係止部３ａの右側端部の上側端部及び下側端部には、遊技盤ユニット１６を係止するための遊技盤ユニット係止部材１７が設けられている。なお、遊技盤ユニット係止部材１７には、回動可能な回動部１７ａが軸支されている。
【００２０】
図４に示すように、遊技盤ユニット１６は、遊技盤４、支持体１８及びガイドレール枠１９を備え、支持体１８とガイドレール枠１９とは、詳しくは後述するように、遊技盤４を挟持した状態で係止されている。
【００２１】
遊技盤４の右側端部の上側端部及び下側端部には、遊技盤ユニット係止部材１７（図３参照）を挿通し、挿通した遊技盤ユニット係止部材１７を係止するための係止部材係止孔４ｂが形成されている。遊技盤４の四隅には、後述するガイドレール枠係止部材２２を挿通するための係止部材挿通孔４ｃが形成されている。遊技盤４の上側端部及び下側端部には、後述する係止ピン２１を係止するための凹状の係止ピン係止凹部４ｄがそれぞれ２個ずつ計４個形成されており、この４個の係止ピン係止凹部４ｄには、それぞれ係止ピン２１を挿通するための長孔状の係止ピン挿通孔４ｅが連通して形成されている。遊技盤４の前面には、コイルバネ２０を収納するための凹状のバネ収納凹部４ｆが２個形成されている。バネ収納凹部４ｆには、ガイドレール枠１９を図４中Ａ方向に付勢するコイルバネ２０が収納されており、コイルバネ２０は、後端がバネ収納凹部４ｆの底面に、先端が後述するガイドレール枠１９の枠本体２５に取り付けられている。なお、バネ収納凹部４ｆは、コイルバネ２０を収縮させたときにコイルバネ２０の先端が遊技盤４の前面から突出しないように収納する大きさで形成されている。これにより、遊技盤４の前面側にガイドレール枠１９を取り付けたときに、遊技盤４とガイドレール枠１９との間に隙間が生じることがない。
【００２２】
支持体１８は略板状に形成されており、支持体１８の前面には複数のリブ１８ａが設けられ、これらリブ１８ａにより球通路１８ｂが形成される。遊技を行った際に各入賞口１０，１１、アタッカ１２、アウト口１３または入賞口２７ｂに入った遊技球は、リブ１８ａにより形成された球通路１８ｂを通過して所定の受け部に誘導され、回収される。支持体１８の上側端部及び下側端部には、遊技盤４の係止ピン挿通孔４ｅに挿通するための係止ピン２１がそれぞれ２個ずつ計４個設けられている。係止ピン２１は、円柱状の本体部２１ａと、本体部２１ａの先端部に回動自在に取り付けられた円柱状の回動部２１ｂとを備える。支持体１８にはガイドレール枠係止部材２２が３個所に設けられている。ガイドレール枠係止部材２２は、円柱状の軸部２３と、軸部２３の先端部に回動自在に設けられた係止つまみ２４とを備える。係止つまみ２４を、遊技盤４の係止部材挿通孔４ｃ及びガイドレール枠１９のつまみ係止孔２５ｃを挿通した後に、つまみ係止孔２５ｃに対して水平位置から垂直位置へと回動することで、遊技盤４を挟持した状態で支持体１８とガイドレール枠１９との係止を行うことができる。
【００２３】
図５に示すように、支持体１８に設けられたガイドレール枠係止部材２２を、遊技盤４の係止部材挿通孔４ｃに挿通するとともに、支持体１８に設けられた係止ピン２１を、遊技盤４の係止ピン挿通孔４ｅに挿通し、係止ピン挿通孔４ｅから突出した係止ピン２１の回動部２１ｂを回動して、本体部２１ａと回動部２１ｂとが略Ｔ字状になるようにすると、回動部２１ｂが係止ピン挿通孔４ｅから挿脱不能となる。これにより、支持体１８が遊技盤４の後面に係止される。なお、回動部２１ｂは、係止ピン係止凹部４ｄに収納されるため、遊技盤４の前面から突出することがない。
【００２４】
図６に示すように、ガイドレール枠１９は、板状に形成され前面の外周にリブが形成された枠本体２５に、外レール２６、第１内レール２７、第２内レール２８が取り付けられた構成となっている。枠本体２５、外レール２６、第１内レール２７及び第２内レール２８は例えばポリアセタール等の摺動性、耐摩耗性に優れた樹脂材から形成されている。なお、外レール２６と第１内レール２７との間は、打ち出された遊技球を遊技領域４ａに向けて誘導するためのガイド部２５ａとなる。また、枠本体２５の中央には、遊技における遊技球の移動を規制（形成）するための開口２５ｂが形成され、その下方に各入賞口１０，１１、アタッカ１２及び入賞口２７ｂのいずれにも入賞しなかった遊技球を所定の受け部に導くためのアウト口２９の前面装飾２９ａが形成されている。なお、外レール２６、第１内レール２７及び第２内レール２８は、それぞれ図示しないビス等により枠本体２５に組み付け固定される。枠本体２５には、支持体１８に設けられたガイドレール枠係止部材２２を挿通し、挿通したガイドレール枠係止部材２２の係止つまみ２４を係止するためのつまみ係止孔２５ｃが形成されている。
【００２５】
図７に示すように、第１内レール２７の遊技領域４ａに面した内壁面２７ａには、略上方に開口する入賞口２７ｂが３箇設けられている。内壁面２７ａには、入賞口２７ｂの上方に、内壁面２７ａから遊技領域側に向けて水平方向に突出し、且つ入賞口２７ｂの鉛直方向の入賞領域を侵さない板状の突出部２７ｃが内壁面２７ａの部材と一体に形成されている。突出部２７ｃの上方から、内壁面２７ａに沿って流下して来た遊技球は、突出部２７ｃによって遊技領域の中央部へ向かうように弾かれる。即ち、突出部２７ｃによって、遊技球が内壁面２７ａに沿って流下している状態のまま入賞口２７ｂへ入賞することを防ぎ、入賞口２７ｂへ至る遊技球の動きを変化に富んだものとしている。なお、突出部２７ｃは、上記のように内壁面２７ａの部材と一体に形成するものに限られず、例えばゴム等の弾性を有する部材を内壁面２７ａに取り付けることによって形成しても良い。また、突出部２７ｃの形状は、上記のように板状に限られず、例えば半球状とするなど、遊技球を弾くものであれば適宜の形状として良い。
【００２６】
第１内レール２７の内部には、入賞口２７ｂのそれぞれに連なる通路２７ｄが設けられている。通路２７ｄは遊技球を下方へと誘導するように傾斜がつけられており、その最下部は、第１内レール２７の内部から遊技盤側へ遊技球を排出する排出口２７ｅに連なっている。通路２７ｄの途中には、入賞口２７ｂのそれぞれに入賞した遊技球を検知する磁気センサ（遊技球検知手段）４０が、入賞口２７ｂのそれぞれの下方に１つずつ配設されている。磁気センサ４０は、中央部に設けられた孔４０ａを遊技球が通過する際の磁場の変化によって遊技球を検知するものである。なお、遊技球検知手段としては、上記のものに限られず、例えば反射型フォトセンサなど、適宜のセンサやスイッチなどを用いても良い。
【００２７】
図８に示すように、ガイドレール枠１９が遊技盤４に取り付けられたとき、磁気センサ４０に接続された導線４１は、磁気センサ４０のそれぞれの位置に対応するように遊技盤４に設けられた穴４ｇにそれぞれ挿通される。また、遊技盤４には、排出口２７ｅの後方となる位置に回収孔４ｈが設けれらており、排出口２７ｅから排出された遊技球は回収孔４ｈを通過して遊技盤４の裏側で回収される。即ち、ガイドレール枠１９が遊技盤４に取り付けられたときには、通路２７ｄは入賞口２７ｂと回収孔４ｈとに連通することとなる。磁気センサ４０が遊技球を検知したことを示す検知信号は、導線４１を介してパチンコ機２の全体を管制する主制御装置４５に入力される。パチンコ機２を上記のような構成とすることで、遊技領域４ａを広く確保しつつ入賞口２７ｂ、通路２７ｄ及び磁気センサ４０からなる入賞チャッカーを設けることができる。また、磁気センサ４０をガイドレール枠１９に設けて、入賞チャッカーをガイドレール枠１９の一部とすることによってパチンコ機２の部品の構成を簡易なものにすることができる。
【００２８】
なお、上記実施形態では、磁気センサ４０をガイドレール枠１９の第１内レール２７に設けたが、遊技盤４に設けるようにしても良い。図９に示すように、回収孔４ｈの出口側に磁気センサ５０を配設し、回収孔４ｈを通過する遊技球を検知したことを示す検知信号が主制御装置４５に入力されるようにしても良い。この場合、第１内レール２７に対するう配線がないので、ガイドレール枠１９における入賞口の位置の設計変更が容易になる。
【００２９】
上記実施形態では、入賞口２７ｂに入賞した遊技球は検知された後に回収されてしまっていたが、入賞を検知した後に遊技領域に戻すようにしても良い。入賞口に入賞した遊技球を、第１内レール２７に設けた放出口から遊技領域に戻す場合の例を図１０及び図１１に示す。
【００３０】
図１０は、入賞口５５及び放出口５７を内壁面２７ａに設けた場合である。入賞口５５は通路５６の上端に連なっており、入賞口５５に入賞した遊技球は通路５６によって下方に誘導される。通路５６の途中には磁気センサ４０が配設されており、遊技球は、磁気センサ４０の孔４０ａを通過する際に検知される。内壁面２７ａの入賞口５５の下方には放出口５７が設けられており、通路５６の下端は放出口５７に連なっている。入賞口５５に入賞した遊技球は通路５６によって下方に誘導される途中で検知され、その後、放出口５７から遊技領域４ａに戻される。また、入賞口５５の下部には、遊技球を入賞口５５へと案内する板状のガイドリブ５８が遊技領域側へ向けて突設されている。
【００３１】
図１１は、内壁面２７ａから遊技領域４ａ側に向けて水平方向に突出する突部６０を設け、この突部６０の上面の略中央部に入賞口６１を設け、下面に放出口６２を設けた場合である。入賞口６１と放出口６２とに連通する通路６３が突部６０内に設けられており、通路６３の途中には磁気センサ４０が配設されている。入賞口６１に入賞した遊技球は通路６３よって下方に誘導される途中で検知され、その後、放出口６２から遊技領域４ａに戻される。なお、入賞口６１の遊技球を受け入れるための方向となる突出角度は適宜に設計すれば良く、また、遊技球を入賞口６１へと案内するガイドリブを設けるようにしても良い。
【００３２】
上記実施形態では、ガイドレール枠１９は、板状に形成され前面の外周にリブが形成された枠本体２５に、外レール２６、第１内レール２７、第２内レール２８が取り付けられた構成となっていたが、このような構成に限られず、例えば１つの部材によってガイドレール枠１９を形成するなど、適宜の構成にしても良い。また、本実施形態における入賞によって得られる利益として、遊技者に賞球として払い出す遊技球、遊技者に有利な遊技状態とするための抽選の契機、またはこれらの組み合わせ等を適宜に設定することが可能である。
【図面の簡単な説明】
【００３３】
【図１】本発明を実施したパチンコ機の外観を示す斜視図である。
【図２】前面扉を開けた状態のパチンコ機を示す斜視図である。
【図３】本体枠と遊技盤ユニットとを示す分解斜視図である。
【図４】遊技盤と支持体とガイドレール枠とを示す分解斜視図である。
【図５】遊技盤に支持体を取り付けた状態を示す斜視図である。
【図６】ガイドレール枠を示す分解斜視図である。
【図７】第１内レールに設けられた入賞チャッカーを示す断面図である。
【図８】ガイドレール枠が遊技盤に取り付けられた状態を示す断面図である。
【図９】磁気センサを遊技盤に設けた場合のガイドレール枠及び遊技盤を示す断面図である。
【図１０】内壁面に放出口を設けた場合の第１内レールを示す正面図である。
【図１１】突部に放出口を設けた場合の第１内レールを示す正面図である。
【符号の説明】
【００３４】
２  パチンコ機（弾球遊技機）
４  遊技盤
４ｈ  回収孔
１３  アウト口
１９  ガイドレール枠（遊技領域規定枠）
２７ａ  内壁面（周面部）
２７ｂ，５５，６１  入賞口
２７ｃ  突出部
２７ｄ，５７，６３  通路
４０  磁気センサ（遊技球検知手段）
５６，６２  放出口
【図１】
2006334099.tif 000003
【図２】
2006334099.tif 000004
【図３】
2006334099.tif 000005
【図４】
2006334099.tif 000006
【図５】
2006334099.tif 000007
【図６】
2006334099.tif 000008
【図７】
2006334099.tif 000009
【図８】
2006334099.tif 000010
【図９】
2006334099.tif 000011
【図１０】
2006334099.tif 000012
【図１１】
2006334099.tif 000013